(57)【要約】【課題】熱膨張による破損を防ぐと共に、容易に設置できるフェンスを提供する。【解決手段】フェンス１０は、支柱１２と、横材１６，１８と、縦板２０とを有する。横材１６，１８は、支柱１２に取り付けられる。横材１６，１８の溝部１６ａ，１８ａは、外側突出線１６ｂ，１８ｂと内側突出線１６ｃ，１８ｃを備える。縦板２０の背面２０ａに横棒２２，２４が取り付けられ、横棒２２，２４を挟み込むように、スライド部材２６，２８が設けられている。スライド部材２６，２８は、スライド突出線２６ｃ，２８ｃを備える。スライド突出線２６ｃ，２８ｃは、外側突出線１６ｂ，１８ｂと内側突出線１６ｃ，１８ｃの間に配置される。スライド突出線２６ｃ，２８ｃの突端２６ｄ，２８ｄと、突端２６ｄ，２８ｄと対向する溝部１６ａ，１８ａの内面１６ｅ，１８ｅの間に隙間を備える。【選択図】図３
0003189908.tif 000002
【実用新案登録請求の範囲】
【請求項１】
一対の支柱と、
前記一対の支柱間に取り付けられ、溝部を備える横材と、
前記溝部に装着されるスライド部材が背後に設けられた縦板と、を有するフェンスであって、
前記溝部は、その内面に外側突出線および内側突出線を備え、
前記スライド部材は、その外面にスライド突出線を備え、
前記スライド突出線が前記外側突出線と前記内側突出線の間に配置されるように、前記溝部の横の開口から前記スライド部材が装着され、
前記溝部に前記スライド部材が装着された状態で、前記スライド突出線の突端とこの突端と対向する前記溝部の内面に隙間を備えたフェンス。
【請求項２】
請求項１において、
前記縦板の背面に横棒が取り付けられ、
前記スライド部材は、鉛直断面がコ字形状であり、その内側で前記横棒を保持する保持部を備えたフェンス。
【請求項３】
請求項２において、
前記保持部の前記横棒と接触する面の少なくとも一部に凹凸が形成されたフェンス。
【請求項４】
請求項２または３において、
前記保持部は、外面に外溝が形成されたフェンス。
【請求項５】
請求項２から４のいずれかにおいて、
前記横棒の両端面に縦材が取り付けられたフェンス。
【請求項６】
請求項１から５のいずれかにおいて、
前記スライド部材は、前記内側突出線より内側に配置される副スライド突出線を外面にさらに備えるフェンス。
【考案の詳細な説明】
【技術分野】
【０００１】
本考案は、熱膨張による破損を防ぐと共に、容易に設置できるフェンスに関するものである。
【背景技術】
【０００２】
庭やウッドデッキ等の外周に設置するフェンスには、支柱、横材、および縦板を組み合わせて構成されるものがある。このフェンスは、例えば、複数の支柱の下部を所定の間隔で地中やデッキフロア上に固定した後、隣り合った支柱の間に、複数の横材を上下方向に離して固定し、これらの横材に複数の縦板を固定することによって設置する。
【０００３】
しかしながら、複数の縦板を等間隔に固定するのは、時間や労力を要する。また、横材間にネジ等を用いて縦板を固定した場合、縦板の熱膨張によって、支柱、横材、および縦板に無理な力が加わって、フェンスが破損するおそれがある。この問題に対応したフェンスが知られている（特許文献１）が、さらに容易に設置できるフェンスの出現が望まれている。
【先行技術文献】
【特許文献】
【０００４】
【特許文献１】実用新案登録第３１８２４７１号公報
【考案の概要】
【考案が解決しようとする課題】
【０００５】
本考案はこのような事情に鑑みてなされたものであり、熱膨張による破損を防ぐと共に、容易に設置できるフェンスを提供することを目的とする。
【課題を解決するための手段】
【０００６】
本考案のフェンスは、一対の支柱と、一対の支柱間に取り付けられ、溝部を備える横材と、溝部に装着されるスライド部材が背後に設けられた縦板と、を有するフェンスであって、溝部は、その内面に外側突出線および内側突出線を備え、スライド部材は、その外面にスライド突出線を備え、スライド突出線が外側突出線と内側突出線の間に配置されるように、溝部の横の開口からスライド部材が装着され、溝部にスライド部材が装着された状態で、スライド突出線の突端とこの突端と対向する溝部の内面に隙間を備える。
【０００７】
本考案のフェンスにおいて、縦板の背面に横棒が取り付けられ、スライド部材は、鉛直断面がコ字形状であり、その内側で横棒を保持する保持部を備えることが好ましい。本考案のフェンスにおいて、保持部の横棒と接触する面の少なくとも一部に凹凸が形成されていることが好ましい。本考案のフェンスにおいて、保持部は、外面に外溝が形成されていることが好ましい。本考案のフェンスにおいて、横棒の両端面に縦材が取り付けられていてもよい。本考案のフェンスにおいて、スライド部材は、内側突出線より内側に配置される副スライド突出線を外面にさらに備えていてもよい。
【考案の効果】
【０００８】
本考案によれば、熱膨張による破損を防ぐと共に、容易に設置できるフェンスが得られる。
【図面の簡単な説明】
【０００９】
【図１】本考案の実施形態に係るフェンスの正面図である。
【図２】図１のフェンスの上面図である。
【図３】図１のフェンスのＡ−Ａ線断面部分拡大図である。
【図４】本考案の実施形態に係るフェンスの組立方法を説明するための側面図である。
【図５】本考案の実施形態に係るフェンスの組立方法を説明するための正面図である。
【図６】本考案の実施形態に係るフェンスの組立方法を説明するための正面図である。
【図７】本考案の実施形態に係るフェンスの組立方法を説明するための正面図である。
【図８】本考案の実施形態に係るフェンスの組立方法を説明するための正面図である。
【考案を実施するための形態】
【００１０】
以下、本考案のフェンスについて、図面を参照しながら各実施形態に基づいて説明する。なお、図面は、フェンス、フェンスを構成する部材、およびフェンス周辺の部材を模式的に表したものであり、これらの実物の寸法および寸法比は、図面上の寸法および寸法比と必ずしも一致していない。また、重複説明は適宜省略し、同一部材には同一符号を付与することがある。
【００１１】
図１は、本考案の実施形態に係るフェンス１０の正面図である。図２は、図１のフェンス１０の上面図である。図３は、図１のフェンス１０のＡ−Ａ線断面の部分拡大図である。フェンス１０は、図１に示すように、一対の支柱１２，１４と、横材１６，１８と、縦板２０とを備える。支柱１２，１４は、底面が正方形または長方形等である四角柱形状を有し、木または樹脂等からなる。支柱１２，１４は、ウッドデッキ等に下部が固定されたり、下部が地中に埋設されたりして設置される。
【００１２】
横材１６，１８は、アルミやステンレス等の金属からなる細長い部材で、一対の支柱１２，１４の間に取り付けられる。具体的には、横材１６，１８は、ネジ等によって、支柱１２，１４の前面に取り付けられている。ネジ止め以外にも、接着剤で固定する方法や、支柱の前面に凹部を設け、横材を嵌め込んで固定する方法等が採用できる。横材１６，１８は、鉛直断面がコ字形状である溝部１６ａ，１８ａをそれぞれ備える。溝部１６ａ，１８ａは、横材１６，１８の長手に沿って一端から他端まで設けられており、両端が開口している。なお、本実施形態では溝部１６ａ，１８ａの両端が開口しているが、溝部の一端のみが開口している横材を使用してもよい。
【００１３】
縦板２０は、長方形の板状部材であり、木または樹脂等からなる。本実施形態では、縦板２０が６本あるが、縦板２０の数量は特に制限されない。縦板２０の背面２０ａには、横棒２２，２４が取り付けられている。また、縦板２０の背後には、溝部１６ａ，１８ａにそれぞれ装着されるスライド部材２６，２８が設けられている。スライド部材２６，２８は、アルミやステンレス等の金属からなり、鉛直断面がコ字形状である保持部２６ａ，２８ａを備える細長い部材である。
【００１４】
スライド部材２６，２８は、保持部２６ａ，２８ａの内側で横棒２２，２４を挟み込むようにして、横棒２２，２４を保持している。本実施形態では、保持部２６ａ，２８ａの横棒２２，２４と接触する面の少なくとも一部に凹凸が形成されている。このため、保持部２６ａ，２８ａの内側に横棒２２，２４を差し込んで挟んだときに、スライド部材２６，２８から横棒２２，２４が抜けにくくなる。
【００１５】
縦板２０、横棒２２，２４、およびスライド部材２６，２８を一体化してパネルユニット３０を構成した後、支柱１２，１４に取り付けられた横材１６，１８に、スライド部材２６，２８をそれぞれ装着すれば、フェンス１０が組み立てられる。詳細なフェンス１０の組み立て方法は後述する。このように、縦板２０の背面２０ａに横棒２２，２４が取り付けられ、鉛直断面がコ字形状の保持部２６ａ，２８ａで横棒２２，２４を挟み込むように保持するため、パネルユニット３０が簡単に作製できる。このため、横材１６，１８にスライド部材２６，２８を装着すれば、縦板２０が横材１６，１８に簡単に取り付けられる。
【００１６】
また、スライド部材２６，２８の保持部２６ａ，２８ａには、その外面に外溝２６ｂ，２８ｂが形成されている。本実施形態では、外溝２６ｂ，２８ｂは、保持部２６ａ，２８ａを挟んで、横棒２２，２４の背面２２ａ，２４ａと反対側となる位置に形成されている。このため、保持部２６ａ，２８ａの内側の空間の厚さを横棒２２，２４の厚さより少しだけ小さくしておけば、保持部２６ａ，２８ａの内側に横棒２２，２４を差し込んだときに、保持部２６ａ，２８ａが容易に広がる。また、広がった保持部２６ａ，２８ａの復元力によって、スライド部材２６，２８が横棒２２，２４を強固に保持できる。
【００１７】
溝部１６ａは、その内面に外側突出線１６ｂ，１６ｓと、外側突出線１６ｂ，１６ｓより内側に配置された内側突出線１６ｃ，１６ｔとを備える。溝部１８ａも、その内面に外側突出線１８ｂ，１８ｓと、外側突出線１８ｂ，１８ｓより内側に配置された内側突出線１８ｃ，１８ｔとを備える。ここで、溝の外側とは溝の開口側をいい、溝の内側とはその反対側、すなわち溝の底側をいう。スライド部材２６は、その外面にスライド突出線２６ｃ，２６ｓを備える。同様に、スライド部材２８も、その外面にスライド突出線２８ｃ，２８ｓを備える。
【００１８】
そして、スライド部材２６は、スライド突出線２６ｃ，２６ｓが外側突出線１６ｂ，１６ｓと内側突出線１６ｃ，１６ｔの間に配置されるように、溝部１６ａの横の開口１６ｄから装着される。同様に、スライド部材２８も、スライド突出線２８ｃ，２８ｓが外側突出線１８ｂ，１８ｓと内側突出線１８ｃ，１８ｔの間に配置されるように、溝部１８ａの横の開口１８ｄから装着される。
【００１９】
このため、横材１６，１８に縦板２０が設置しやすく、フェンス１０が容易に組み立てられる。さらに、溝部１６ａにスライド部材２６が装着された状態で、スライド突出線２６ｃの突端２６ｄとこの突端２６ｄと対向する溝部１６ａの内面１６ｅに隙間を備えている。同様に、溝部１８ａにスライド部材２８が装着された状態で、スライド突出線２８ｃの突端２８ｄとこの突端２８ｄと対向する溝部１８ａの内面１８ｅに隙間を備えている。
【００２０】
このように、突端２６ｄ，２８ｄと、溝部１６ａ，１８ａの突端２６ｄ，２８ｄと対向する内面１６ｅ，１８eが離間しているため、縦板２０が鉛直方向、すなわち上下方向に熱膨張しても、突端２６ｄ，２８ｄが内面１６ｅ，１８eまで移動でき、フェンス１０の破損を抑えられる。つまり、突端２６ｄ，２８ｄと、溝部１６ａ，１８ａの突端２６ｄ，２８ｄと対向する内面１６ｅ，１８eの間隔を、縦板２０の熱膨張によってフェンス１０が破損しないように設定すればよい。なお、本実施形態のように、２以上のスライド突出線がある場合には、スライド突出線の突端と、これらの突端と対向する溝部内面の全ての間に隙間を設ける必要がなく、１か所以上（本実施形態では上方）に隙間を設ければよい。
【００２１】
また、本実施形態では、横棒２２の両端面２２ｂ，２２ｃおよび横棒２４の両端面２４ｂ，２４ｃに縦材４０，４２が取り付けられている。縦材４０，４２は、長方形の板状部材であり、木または樹脂等からなる。縦材４０，４２は、溝部１６ａ，１８ａの両横の開口１６ｄ，１８ｄよりも大きい。このため、スライド部材２６，２８が横材１６，１８から抜け落ちない。縦材４０，４２は、横棒２２，２４の両端面２２ｂ，２２ｃ，２４ｂ，２４ｃに、例えばネジ止め等によって固定する。なお、縦材４０，４２として縦板３０を使用してもよい。
【００２２】
スライド部材２６の外面には、横材１６の内側突出線１６ｃより溝の内側となる位置に、副スライド突出線２６ｅ，２６ｔさらに備える。同様に、スライド部材２８は、横材１８の内側突出線１８ｃより内側となる位置に、副スライド突出線２８ｅ，２８ｔを外面にさらに備える。副スライド突出線２６ｅ，２６ｔを設けることによって、横材１６の内部で、スライド部材２６が上下方向にがたつくのを抑えられる。同様に、副スライド突出線２８ｅ，２８ｔを設けることによって、横材１８の内部で、スライド部材２８が上下方向にがたつくのを抑えられる。なお、副スライド突出線の数量は特に制限されない。
【００２３】
つぎに、フェンス１０の組立方法について説明する。図４から図８は、フェンス１０の組立方法を説明するための側面図または正面図である。まず、図４に示すように、パネルユニット３０を作製する。すなわち、縦板２０の背面２０ａに横棒２２，２４を、例えばネジ止め等によって固定した後、横棒２２，２４を挟み込むようにして、スライド部材２６，２８を装着する。つぎに、図５に示すように、支柱１２，１４の下部を、コンクリート等で地中に固定する。
【００２４】
そして、図６に示すように、支柱１２，１４の前面１２ａ，１４ａに、横材１６，１８を例えばネジ止め等によって取り付ける。このとき、横材１６，１８の間隔をスライド部材２６，２８の間隔に対応させる。つぎに、図７に示すように、横材１６，１８の溝部１６ａ，１８ａの横の開口１６ｄ，１８ｄからスライド部材２６，２８を装着し、横移動させる。そして、スライド部材２６，２８を所定の位置まで横移動させたら、図８に示すように、縦材４０，４２を横棒２２，２４の両端面２２ｂ，２２ｃ，２４ｂ，２４ｃに固定する。
【００２５】
以上、実施形態に基づいて本考案のフェンスを説明したが、本考案のフェンスは上記実施形態に限定されない。縦材の代わりにキャップ等を横棒の両端面に取り付けることによって、スライド部材の横材からの落下を防いでもよい。また、上記実施形態では横材を二本使用したが、一本だけ使用しても、三本以上使用してもよい。また、縦板の幅や縦板同士の間隔等は適宜変更することができる。また、一本の横棒ではなく、縦板ごとに横棒を設けて、これらの横棒をスライド部材に挟み込んでもよい。この場合、縦板の幅より長い所定の長さの横棒を使用すれば、縦板が等間隔に並んだパネルユニットが簡単に作製できる。
【符号の説明】
【００２６】
１０  フェンス
１２，１４  支柱
１６，１８  横材
１６ａ，１８ａ…溝部
１６ｂ，１６ｓ，１８ｂ，１８ｓ…外側突出線        １６ｄ，１８ｄ…開口
１６ｃ，１６ｔ，１８ｃ，１８ｔ…内側突出線        １６ｅ，１８ｅ…内面
２０  縦板
２２，２４  横棒
２６，２８  スライド部材
２６ａ，２８ａ…保持部                            ２６ｂ，２８ｂ…外溝
２６ｃ，２６ｓ，２８ｃ，２８ｓ…スライド突出線    ２６ｄ，２８ｄ…突端
２６ｅ，２６ｔ，２８ｅ，２８ｔ…副スライド突出線
４０，４２  縦材
【図１】
0003189908.tif 000003
【図２】
0003189908.tif 000004
【図３】
0003189908.tif 000005
【図４】
0003189908.tif 000006
【図５】
0003189908.tif 000007
【図６】
0003189908.tif 000008
【図７】
0003189908.tif 000009
【図８】
0003189908.tif 000010